(57)【要約】      （修正有）【課題】軌条に楕円弧状部の形成を皆無にして、ハズミ錘による水平回転駆動軸への回転モーメントを常に一回転方向へのプラス軸力を維持する偏心回転式発電装置を提供する。【解決手段】自然エネルギによる回転駆動装置と、電力発生装置に連結した水平回転駆動軸３の錘支持シャフト４にハズミ錘５を装着し、ハズミ錘にガイドロール６を設け、錘支持シャフトの両側方に竪型ガイド軌条を設けた偏心回転式発電装置において、ハズミ錘の、先部の回転方向側に、後部の反回転方向側に、第一、第二、ガイドロールを張り出し、竪型ガイド軌条は、ロールガイド式第一軌条７−１と永久磁石式第二軌条７−２に分割して設け、ロールガイド式第一軌条は、下降ゾーンの回転駆動軸の軸心を通る水平線までの間を回転する際のガイドロール式第一ガイドのガイドロールの転動軌跡に沿って配置し、永久磁石式第二軌条は、永久磁石式第二ガイドの永久磁石の転動軌跡に沿って配置した。【選択図】図１
2015117686.tif 000002
【特許請求の範囲】
【請求項１】
自然エネルギーにより回転駆動する回転駆動装置と電力発生装置に連結した水平回転駆動軸と、前記水平回転駆動軸にその半径方向線とその延長線上に移動可能に装着し所定の回転角度間隔で配置した複数の錘支持シャフトと、前記各錘支持シャフトに装着したハズミ錘と、前記ハズミ錘の転動を支持するガイド機構と、前記錘支持シャフトの転動面の両側方に平行に設けられ前記ハズミ錘の重心位置を前記ガイド機構を介して真円軌跡で案内する竪型ガイド軌条とからなり、前記ハズミ錘の真円軌跡は、円心を前記回転駆動軸の回転軸心から水平に所定距離変位させた真円であり下降回転ゾーンと上昇回転ゾーンを有する偏心回転式発電装置において、
前記ハズミ錘を転動支持するガイド機構は、前記ハズミ錘の先部から回転方向側に張り出した第一ガイドと前記ハズミ錘の後部の反回転方向側に張り出した第二ガイドとを設け、
前記竪型ガイド軌条は、前記第一ガイドを案内する第一軌条と、第二ガイドを案内する第二軌条に分割して設け、
前記第一ガイドはガイドロール式にし（：ロール式第一ガイド）、それを案内する第一軌条はロールガイド式にし（：ロールガイド式第一軌条）、前記ハズミ錘の重心が、少なくても前記真円軌跡の上昇回転ゾーンの開始点から下降回転ゾーンの開始点を経由し下降ゾーンの前記回転駆動軸の軸心を通る水平線までの間を回転する際の前記ロール式第一ガイドのガイドロールの転動軌跡に沿って配置し、前記第二ガイドは永久磁石式にし（：永久磁石式第二ガイド）、それを案内する第二軌条は永久磁石式にし（：永久磁石式第二軌条）、前記ハズミ錘が、少なくても前記真円軌跡の下降回転ゾーンの前記回転駆動軸を通る水平線から終点迄の間を回転する際の前記永久磁石式第二ガイドの永久磁石の転動軌跡に沿って配置し、永久磁石式第二ガイドの永久磁石と永久磁石式第二軌条の永久磁石とは互いの磁極を反発関係で所定間隔を維持して対面配置したことを特徴とする偏心回転式発電装置。
【発明の詳細な説明】
【技術分野】
【０００１】  本発明は、大宅式の偏心回転式発電装置に関するものである。
【背景技術】
【０００２】  発電装置は、従来公知のものとして大別して風力発電装置、蒸気力発電装置、水力発電装置、波力発電装置、太陽光発電装置など大掛かりな様々な発電装置が開発されている。
近年、地球温暖化問題が表面化し、二酸化炭素排出規制が声高に叫ばれている。この対策とするクリーンエネルギー技術として、前記の太陽光電池、風力発電等が注目され開発され現在稼動しているが、コスト及びメンテナンス等の問題でなかなか普及していないのが現状である。【０００３】  そこで本発明者等は地球上の重力を活用し、それを効率よく発電用の回転エネルギーに転換する新規な装置の開発を進めてきた。
この開発の過程で発明したのが、特許文献１から特許文献３に紹介する偏心回転式発電装置である。
この偏心回転式発電装置は、発電回転用の回転駆動軸を駆動エネルギーとして風力、蒸気力、水力、波力などの自然原動力を用いて回転駆動させるもので電気エネルギー変換効率を大幅に高めた偏心回転式発電装置である。【０００４】  この偏心回転式発電装置は、特許文献１〜特許文献３で紹介のように竪型の真円の磁石リング軌条と、真円の磁石リング軌条の円心位置から水平方向に所定量変位させた位置に直交して水平に配置した回転駆動軸と、回転駆動軸に偏心回転ガイドシャフト機構を介して装着し且つ磁石リング軌条に沿って非接触状態で周回可能に設けた永久磁石式ガイドと、永久磁石式ガイドに装着したはずみウエイトとを主構成とする。
縦型の真円の磁石リング軌条は、外周面側と内周面側に同一磁極を揃えたガイド用の永久磁石を固定配列し、永久磁石式ガイドの永久磁石とは反発関係に磁極を対面させる。【０００５】  これで永久磁石式ガイドは、非接触状態で磁石リング軌条の内外周側に沿って倣い周回走行可能にしてある。偏心回転シャフト機構は、回転駆動軸の回転半径方向線に沿ってスライド自在にし且つ１８０度の回転角度の間隔で永久磁石式ガイドを支持する。回転駆動軸により偏心回転シャフト機構を回転させて、永久磁石式ガイドに装着したはずみウエイトを偏心回転させることにより回転駆動軸に回転モーメントを付与して、軽負荷で回転させて発電させるものである。【０００６】  この偏心回転式発電装置は、水力、風力、波力、その他の自然エネルギー、あるいはこれ等から得た微電力等を用いて前記回転駆動軸を微力で一旦回転駆動すれば、エネルギーロスを少なくした効率の良い発電力を確保することが最大の目標である。
しかし、磁石リング軌条に沿って周回する永久磁石式ガイドとの回転抵抗の低減、およびはずみウエイトと共動する永久磁石式ガイドと偏心回転シャフト機構との摺動抵抗の低減、さらに偏心回転シャフト機構にかかる回転中の軸力分布を均等化させる工夫をした接触型及び非接触型であるが、そのいずれもが回転抵抗と軸力分布の均一化の問題があり、この問題を解決のために次の開発ステージ１へと進む結果となった。【０００７】  図９は、従来の偏心回転式発電装置において、固定永久磁石０３ｍを配列した磁石リング軌条０３にガイドされて回転する偏心回転シャフト機構０１と永久磁石式ガイド０５とはずみウエイト０６の回転角度位置において、目的とする左回転方向（→正回転方向）に回転するための回転駆動軸に掛かる回転モーメント発生領域と、その逆回転方向に回転モーメントが発生する領域を示す概略説明図である。【０００８】  前記偏心回転式発電装置において、前記磁石リング軌条０３は、図９から明らかなように真円にし、前記偏心回転シャフト機構０１の回転中心０２位置を、真円の磁石リング軌条０３の水平直径線０４の３分の１の位置に偏位してあるため、例えば図に示すように、偏心回転シャフト機構０１を直線状にし、その両側にすなわち１８０°の回転角度間隔をおいた位置に、永久磁石式ガイド０５を含んで等重量Ｗのはずみウエイト０６を配置して偏心回転シャフト機構０１の回転駆動軸を回転させた場合は、一対の永久磁石式ガイド０５とそのはずみウエイト０６が、磁石リング軌条０３の円心０３ｃを通る鉛直線０７から前記偏心回転シャフト機構０１の回転中心０２側の単一円弧部０３−１に共に存在する領域ＭＯがある。この領域ＭＯ以外では常に回転駆動軸に目的とする左回転方向に回転するための回転モーメントが掛かる発生領域である。前記領域ＭＯは左右の回転モーメントが同じニュートラル状態になる二つの位置Ｒ１−Ｒ１とＲ２−Ｒ２に挟まれる領域であり、この領域に一対の永久磁石式ガイド０５とそのはずみウエイト０６が位置する間は、回転駆動軸の芯０２に常に図の右回転方向への逆回転負荷が掛かりエネルギーロスを生じ減速状態となり大きな回転変動を起こし安定しない。【０００９】  そこで本発明者は、この問題を解決のために次の開発ステージ２へと進む結果となった。
開発ステージ２では、特許文献４及び特許文献５の装置を開発して、前述の逆回転負荷が掛かる領域ＭＯを皆無にした。
また特許文献４に紹介の偏心回転式発電装置は、はずみウエイトの上昇回転ゾーンの磁石リング軌条を長軸を回転駆動軸芯を通る沿直線上においた楕円の長軸を中心に二分割した竪型の第一半楕型とし、はずみウエイトの下降回転ゾーンの磁石リング軌条を、短軸を回転駆動軸芯を通る沿直線上においた楕円の短軸を中心に二分割した第二半楕円型にし、この第一半楕円型と第二半楕円型の磁石リング軌条の各上頂部と下頂部を連結して合成エンドレスリングにしたものである。
特許文献５に紹介の偏心回転式発電装置は、はずみウエイトの上昇回転ゾーンの磁石リング軌条を半真円型にし、はずみウエイトの下降回転ゾーンの磁石リング軌条を半楕円にし、この半真円型と半楕円型の磁石リング軌条の各上頂部と下頂部を連結して卵型の合成エンドレスリングにしたものである。
【先行技術文献】
【特許文献】
【００１０】
【特許文献１】特開２０１０−３５３９３号公報
【特許文献２】特開２０１０−６８６８１号公報
【特許文献３】特開２０１０−９６１７０号公報
【特許文献４】特開２０１２−２０７６５３号公報
【特許文献５】特開２０１２−２０７６５４号公報
【発明の概要】
【発明が解決しようとする課題】
【００１１】  しかしながら、この二件の発明はいずれの磁石リング軌条も楕円弧部を有するため、この楕円弧部では回転角度に対するウエイトの転動距離が大きく変動するため、ウエイトの転動抵抗が一回転中に楕円弧部の個数分大きく変動し、円滑な発電回転が得難いものであった。
本発明は、前記の楕円弧部を皆無にして、且つ偏心回転シャフト機構で支持したはずみウエイトが鉛直直径線上にある時の回転モーメントが０になる以外は、常に一回転方向へのプラス軸力を維持して逆回転負荷による減速状態とそれによるエネルギーロスを皆無にするとともに、回転慣性力による回転むらを僅少にして、ウエイトの円滑な連続カム回転状態を安定して得られる新規な偏心回転式発電装置を提供するものである。
【課題を解決するための手段】
【００１２】上記課題を満足させる本発明の基本的な技術構成は、次の（１）〜（３）の通りである。
（１）、自然エネルギーにより回転駆動する回転駆動装置と電力発生装置に連結した水平回転駆動軸と、前記水平回転駆動軸にその半径方向線とその延長線上に移動可能に装着し所定の回転角度間隔で配置した複数の錘支持シャフトと、前記各錘支持シャフトに装着したハズミ錘と、前記ハズミ錘の転動を支持するガイド機構と、前記錘支持シャフトの転動面の両側方に平行に設けられ前記ハズミ錘の重心位置を前記ガイド機構を介して真円軌跡で案内する竪型ガイド軌条とからなり、前記ハズミ錘の真円軌跡は、円心を前記回転駆動軸の回転軸心から水平に所定距離変位させた真円であり下降回転ゾーンと上昇回転ゾーンを有する偏心回転式発電装置において、
前記ハズミ錘を転動支持するガイド機構は、前記ハズミ錘の先部から回転方向側に張り出した第一ガイドと前記ハズミ錘の後部の反回転方向側に張り出した第二ガイドとを設け、
前記竪型ガイド軌条は、前記第一ガイドを案内する第一軌条と、第二ガイドを案内する第二軌条に分割して設け、
前記第一ガイドはガイドロール式にし（：ロール式第一ガイド）、それを案内する第一軌条はロールガイド式にし（：ロールガイド式第一軌条）、前記ハズミ錘の重心が、少なくても前記真円軌跡の上昇回転ゾーンの開始点から下降回転ゾーンの開始点を経由し下降ゾーンの前記回転駆動軸の軸心を通る水平線までの間を回転する際の前記ロール式第一ガイドのガイドロールの転動軌跡に沿って配置し、前記第二ガイドは永久磁石式にし（：永久磁石式第二ガイド）、それを案内する第二軌条は永久磁石式にし（：永久磁石式第二軌条）、前記ハズミ錘が、少なくても前記真円軌跡の下降回転ゾーンの前記回転駆動軸を通る水平線から終点迄の間を回転する際の前記永久磁石式第二ガイドの永久磁石の転動軌跡に沿って配置し、永久磁石式第二ガイドの永久磁石と永久磁石式第二軌条の永久磁石とは互いの磁極を反発関係で所定間隔を維持して対面配置したことを特徴とする偏心回転式発電装置。
【発明の効果】
【００１３】  本発明の前記特徴とする前記構成の偏心回転式発電装置は、前記ハズミ錘を転動支持するガイドロールと竪型ガイド軌条は、前記ガイドロール式第一ガイドと前記ロールガイド式第一軌条の組と、前記永久磁石式第二ガイドと前記永久磁石式第二軌条の組にすることにより、いずれの軌条にも楕円弧状部の形成を皆無にして、ハズミ錘による回転駆動軸への回転モーメントをマイナスにすることなく常に一回転方向へのプラス軸力を維持して逆回転負荷とそれによる減速状態によるエネルギーロスを皆無にするとともに、前記ハズミ錘の回転慣性力による回転むらを僅少にして、ハズミ錘の円滑な連続カム回転状態を安定して得られるものである。【００１４】  即ち、ガイドロール式第一ガイドとロールガイド式第一軌条の組による作用効果は、前記ハズミ錘がその重心位置の真円軌跡で、上昇回転ゾーンの初期から下降回転ゾーンの開始点を経由し下降ゾーンの前記回転駆動軸の軸心を通る水平線までの間を回転する際に、ハズミ錘の遠心力をハズミ錘の前方にあるガイドロール式第一ガイドに作用させてハズミ錘を常に牽引作用して、ハズミ錘による回転駆動軸への回転モーメントをマイナスにすることなく常に一回転方向へのプラス軸力を維持するのである。【００１５】  一方永久磁石式第二ガイドと永久磁石式第二軌条の組による作用効果は、前記ハズミ錘がその重心位置の真円軌跡で、下降回転ゾーンの前記回転駆動軸を通る水平線から終点位置を過ぎても永久磁石式第二ガイドは下降回転を継続してハズミ錘に押上作用して上昇回転力を付与すると共に、点対称側にあるハズミ錘のガイドロール式第一ガイドが下降開始側に押上移動させて上昇牽引力を付与するため、図９に示す領域ＭＯにおいて点対称にあるハズミ錘がいずれも上昇過程にあってもガイドロール式第一ガイドは、下降移動終点に向かう途中であり、永久磁石式第二ガイドも下降移動開始を始めているため、回転駆動軸への回転モーメントをマイナスにすることなく常に一回転方向へのプラス軸力を維持するのである。
【図面の簡単な説明】
【００１６】
【図１】ハズミ錘を両側に設けた６組の錘支持シャフトを３０度の回転角度間隔で回転駆動軸に並列配置した実施例１を示し、図２の矢視Ａ−Ａから見た側面説明図であり、各組のロールガイド式第一軌条及び永久磁石式第二軌条は、曲線で表わしており詳細な横断面を図３の（１）に示す。
【図２】図１の矢視Ａ１−Ａ２〜Ａ１１−Ａ１２から見た各組の錘支持シャフト部の各平面説明図でロールガイド式第一軌条及び永久磁石式第二軌条は横断面で併記してある。
【図３】図１の矢視ａ３−ａ４から見た一部断面の説明図（１）と、図１の矢視ａ１−ａ２から見た平面説明図（２）、図１の矢視ａ５−ａ６から見た縦断面説明図（３）である。実施例２〜３の構造も同一構成のため同一箇所には同一符号を付してある。
【図４】ハズミ錘を両側に設けた６組の錘支持シャフトを２グループに分け、各グループ単位で回転駆動軸に並列配置し、グループ内錘支持シャフトの回転角度間隔を６０度にグループ間の錘支持シャフトの回転角度間隔を３０度にした実施例２を示し、図４の矢視Ｂ−Ｂから見た側面説明図であり、各グループのロールガイド式第一軌条及び永久磁石式第二軌条は当該グループ内で共有し、曲線で表わしており詳細な横断面を図３の（１）に示す。
【図５】図３の矢視Ｂ１−Ｂ２から見た側面説明図である。
【図６】回転駆動軸に放射状に錘支持シャフトを固定し、これにフライホイールを連結した実施例３を示し、図６の矢視Ｃ−Ｃから見た側面説明図である。
【図７】図５の矢視Ｃ１−Ｃ２から見た縦断面説明図である。
【図８】実施例１に紹介の錘支持シャフト４−１とそのハズミ錘５−１、５−２の例の変形例を示す側面説明図である。
【図９】従来の真円の磁石リング軌条において回転駆動軸にかかる回転モーメントの状態を示す簡略説明図である
【発明を実施するための形態】
【００１７】  本発明の磁石式発電装置を実施するための形態は以下に紹介する実施例により詳細に説明する。
【実施例１】
【００１８】  本発明の実施例を図１〜図３に示す。
図１〜図３に示す実施例１において、偏心回転式発電装置は、自然エネルギーの水力により回転駆動する竪型水車１（回転駆動装置）の水平回転駆動軸２に減速機或いは増速機：３Ｇを介して電力発生装置３を連結し、電力発生装置３は一般周知の蓄電装置Ｂと分電盤を有する売電・賃電電力量計ＧＰ５を接続させてある。
これで電力発生装置３からの電力は売電できる他、他の電気機器への電力供給にも有効活用される。水平回転駆動軸２には、その半径方向線とその延長線上に摺動移動自在に貫通装着した６組の錘支持シャフト４−１〜４−６を３０度の回転角度間隔で並列配置する。【００１９】前記各錘支持シャフト４−１〜４−６各々の両側部にはそのシャフト方向に移動自在にハズミ錘５−１、５−２を装着し、前記各ハズミ錘５−１、５−２には、その転動支持をするガイドロール式第一ガイド６−１と永久磁石式第二ガイド６−２を設け、前記ハズミ錘５−１、５−２の重心位置５Ｃを前記ガイドロール式第一ガイド６−１と永久磁石式第二ガイド６−２を介して真円軌跡５ＣＴで案内するロールガイド式第一軌条７−１と永久磁石式第二軌条７−２からなる竪型ガイド軌条を前記錘支持シャフトの転動面の両側方に平行に設ける。【００２０】錘支持シャフト４−１〜４−６は、各々本例のように単数に又は図８に示すように一対のシャフトから構成し、図２に示すように中央部でスライド自在にした二重管連結構造にしてあり、１回転中のシャフト伸縮を吸収可能にしてある。これでハズミ錘をシャフトに沿って円滑に案内し、下降回転ゾーン５Ｄにおいて水平回転駆動軸２に回転モーメントを円滑に順次付与する。【００２１】前記各組のハズミ錘５−１、５−２の重心５Ｃの真円軌跡５ＣＴは、円心５００Ｃを前記回転駆動軸３の回転軸心３Ｃから水平に所定距離を変位させた所謂偏心３Ｃ−５００Ｃさせた真円であり下降回転ゾーン５Ｄと上昇回転ゾーン５Ｕを有する．【００２２】前記ハズミ錘５−１、５−２を転動支持するガイドロール式第一ガイド６−１は、当該ハズミ錘５−１、５−２の先部から回転方向側に張り出したアーム１０−１の先端の両側に設けてあり対面一対のロールガイド式第一軌条７−１により転がり接触して案内される。
同じく前記ハズミ錘５−１、５−２を転動支持する永久磁石式第二ガイド６−２は、当該ハズミ錘５−１、５−２の後部から反回転方向側に張り出したアーム１０−２の先端の両側に設けてあり対面一対の永久磁石式第二軌条７−２により所定の反発間隔で浮遊して案内される。【００２３】前記竪型ガイド軌条において、ガイドロール式第一ガイド６−１を案内するロールガイド式第一軌条７−１は、図３の（１）に示すように横断面形状がコ字状の湾曲ロングレール状にして、前記ハズミ錘の重心５Ｃが、前記真円軌跡５ＣＴの上昇回転ゾーンの開始点５ＵＳから下降回転ゾーン５Ｄの開始点５ＤＳを経由し下降ゾーン５Ｄの前記回転駆動軸２の軸心２Ｃを通る水平線５ＤＨまでの間を回転する際の前記ガイドロール式第一ガイド６−１の転動軌跡６−１Ｔ（図１）に沿って左右一対が対面して固定配置してある。【００２４】永久磁石式第二ガイド６−２の永久磁石Ｍ１を案内する永久磁石式第二軌条７−２は、図３の（１）に示すように横断面形状がコ字状の湾曲ロングレール７ａに所定間隔で永久磁石Ｍ２を複数配列する。湾曲ロングレール７ａは、前記ハズミ錘の重心５Ｃが、前記真円軌跡５ＣＴの下降回転ゾーン５Ｄの前記回転駆動軸２を通る水平線５ＤＨから終点５ＤＥ迄の間を回転する際の前記永久磁石式第二ガイド６−２の永久磁石Ｍ１の転動軌跡６−２Ｔ（図１）に沿って左右一対が平行して固定配置する。
永久磁石式第二ガイド６−２の永久磁石Ｍ１と久磁石式第二軌条７−２の永久磁石Ｍ２は対面側をＮ極にし、反対面側をＳ極にして反発関係にし、反発力により互いに接触せず且つ所定の間隔が保持できる磁力にしてある。【００２５】  以上の構成により、水平回転駆動軸３が竪型水車１により回転駆動すると、錘支持シャフト４−１〜４−６は回転方向ＣＤに回転し、ハズミ錘５−１はガイドロール式第一ガイド６−１を介してロールガイド式第一軌条７−１により各重心５Ｃが前記真円軌跡５ＣＴに沿って回転し、ハズミ錘５−２は永久磁石式第二ガイド６−２を介して久磁石式第二軌条７−２により、各重心５Ｃが真円軌跡５ＣＴに沿って回転する。
これでハズミ錘５−１、５−２は水平回転駆動軸３の軸心３Ｃに対してカム状に偏心回転して、真円軌跡５ＣＴの下降回転ゾーン５Ｄ及び上昇回転ズーン５Ｕの全て水平回転駆動軸３に回転モーメントを付与して回転駆動力を効率よく増大させ発電効率を高めるのである。
【実施例２】
【００２６】本発明の実施例２を図４〜図５に示す。
図４〜図５に示す実施例２において、偏心回転式発電装置は、自然エネルギーの水力により回転駆動する竪型水車１（回転駆動装置）の水平回転駆動軸２に減速機又は増速機３Ｇを介して電力発生装置３を連結し、ハズミ錘を両側に設けた６組の錘支持シャフト４−１〜４−６をグループＧ１（４−１、４−３，４−５）とグループＧ２（４−２、４−４，４−６）の２グループに分け、各グループ単位で水平回転駆動軸２に並列配置し、グループ内の錘支持シャフトの回転角度間隔を６０度にし、グループ間の錘支持シャフトの相対的な回転角度間隔を回転方向に３０度ずらしたものである。【００２７】また前記各組の錘支持シャフトの両側部にハズミ錘５−１、５−２を装着し、前記各ハズミ錘５−１、５−２には、その転動支持をするガイドロール式第一ガイド６−１と永久磁石式第二ガイド６−２を設ける。
前記ハズミ錘５−１、５−２の重心位置５Ｃは、前記ガイドロール式第一ガイド６−１と永久磁石式第二ガイド６−２を介してロールガイド式第一軌条７−１と永久磁石式第二軌条７−２により真円軌跡５ＣＴに沿って転動する。ロールガイド式第一軌条７−１と永久磁石式第二軌条７−２は前記錘支持シャフトの転動面の両側方に平行に設けた竪型ガイド軌条である。【００２８】また前記各ハズミ錘５−１、５−２は、その重心５Ｃを当該グループ内で同一真円軌跡５ＣＴ上に配置される。
このため各錘支持シャフトは実施例１と同様に中央部の伸縮ゾーンを二重管の連結構造にして、錘支持シャフト４−１と４−４はストレートにし、４−２ａと４−３ａ及び４−５ａと４−６ａは、当該ハズミ錘５−１、５−２の支持部直近部を曲げ成形した後ストレートに伸ばして、水平回転駆動軸２に二重管部を摺動自在に貫通装着する。これでハズミ錘をシャフトに沿って円滑に案内し、回転中のブレを解消する。【００２９】各グループＧ１，Ｇ２における前記ハズミ錘５−１、５−２の重心５Ｃの真円軌跡５ＣＴは、円心５００Ｃを前記回転駆動軸３の回転軸心３Ｃから水平に所定距離を変位させた所謂偏心３Ｃ−５００Ｃさせた真円であり下降回転ゾーン５Ｄと上昇回転ゾーン５Ｕを有する．【００３０】前記ハズミ錘５−１、５−２をその重心５Ｃの真円軌跡５ＣＴに転動支持するガイドロール式第一ガイド６−１は、当該ハズミ錘５−１、５−２の先部から回転方向側に張り出したアーム１０−１の先端両側に設けてありロールガイド式第一軌条７−１により転がり接触して案内される。
同じく前記ハズミ錘５−１、５−２をその重心５Ｃの真円軌跡５ＣＴに転動支持する永久磁石式第二ガイド６−２は、当該ハズミ錘５−１、５−２の後部から反回転方向側に張り出したアーム１０−２の先端両側に設けてあり永久磁石式第二軌条７−２により転がり接触して案内される。【００３１】前記竪型ガイド軌条は、各グループＧ１、Ｇ２毎にロールガイド式第一軌条７−１と永久磁石式第二軌条７−２が共有設置され、ガイドロール式第一ガイド６−１を案内するロールガイド式第一軌条７−１は、図３の（１）に示すように横断面形状がコ字状の湾曲ロングレール状にして、前記ハズミ錘の重心５Ｃが、少なくとも、上昇回転ゾーンの初期から下降回転ゾーン５Ｄの開始点５ＤＳを経由し下降ゾーン５Ｄの前記回転駆動軸２の軸心２Ｃを通る水平線５ＤＨまでの間を回転する際の前記ガイドロール式第一ガイド６−１の転動軌跡６−１Ｔに沿って左右一対を固定配置してある。【００３２】永久磁石式第二ガイド６−２の永久磁石Ｍ１を案内する永久磁石式第二軌条は、図３の（１）に示すように横断面形状がコ字状の湾曲ロングレール７−２に所定間隔で永久磁石Ｍ２を複数配列する。湾曲ロングレール７−２は、前記ハズミ錘の重心５Ｃが、前記真円軌跡５ＣＴの下降回転ゾーン５Ｄの前記回転駆動軸２を通る水平線５ＤＨから終点５ＤＥ迄の間を回転する際の前記永久磁石式第二ガイド６−２の永久磁石Ｍ１の転動軌跡６−２Ｔ（図１）の外側に沿って左右一対が平行して固定配置する。
永久磁石式第二ガイド６−２の永久磁石Ｍ１と永久磁石式第二軌条７−２の永久磁石Ｍ２は磁極を対面側をＮ極にし、反対面側をＳ極にして反発関係にし、反発力により互いに接触せず且つ所定の間隔が保持できる磁力にしてある。
また永久磁石式第二軌条７−２は変形例として、前記永久磁石式第二ガイドの永久磁石の転動軌跡の外側と内側に沿って当該永久磁石式第二ガイドの永久磁石が挿通自在に対面配置し、永久磁石式第二ガイドの永久磁石の磁極と永久磁石式第二軌条の永久磁石とは磁極を反発関係で所定間隔を維持して対面配置してもよい。
また前記永久磁石式第二ガイドの永久磁石は、一対設け、前例の永久磁石式第二軌条７−２の外側と内側に沿って移動自在に対面配置し、永久磁石式第二軌条の永久磁石を挟む状態の一対の永久磁石式第二ガイドの永久磁石とは磁極を反発関係で所定間隔を維持して対面配置してもよい。【００３３】錘支持シャフト４−１〜４−６は、各々単数又は一対のシャフトから構成し、中央部でスライド自在にした二重管連結構造にしてある。本例は単数にしてある。
本例の各グループＧ１，Ｇ２の各ロールガイド式第一軌条及び永久磁石式第二軌条は当該グループ内で共有する。【００３４】  以上の構成により、水平回転駆動軸３が竪型水車１により回転駆動すると、錘支持シャフト４−１〜４−６は回転方向ＣＤに回転し、ハズミ錘５−１はガイドロール式第一ガイド６−１を介してロールガイド式第一軌条により、ハズミ錘５−２は永久磁石式第二ガイド６−２を介してロールガイド式第一軌条により、各重心５Ｃが真円軌跡５ＣＴに沿って回転する。これでハズミ錘５−１、５−２は水平回転駆動軸３の軸心３Ｃに対してカム状に偏心回転して、真円軌跡５ＣＴの下降回転ゾーン５Ｄ及び上昇回転ズーン５Ｕの全て水平回転駆動軸３に回転モーメントを付与して回転駆動力を更に効率よく増大させ発電効率を高めるのである。
【実施例３】
【００３５】本発明の実施例３を図６〜図７に示す。
図６は図７の矢視Ｃ−Ｃから見た側面説明図を示し、図７には、図６の矢視Ｃ１−Ｃ２から見た縦断面説明図を示す。
実施例３では、水平回転駆動軸３に同一長さの錘支持シャフト４−１〜４−１２を放射状に固定し、これにフライホイールＦＷを連結したもので設置スペースを実施例１に比し約６分の１にしたものである。【００３６】即ち、実施例３において、偏心回転式発電装置は、自然エネルギーの水力により回転駆動する竪型水車１（回転駆動装置）の水平回転駆動軸２に電力発生装置３を連結し、ハズミ錘５−１、５−２を両側に設けた６組の同長の錘支持シャフト４−１〜４−１２を水平回転駆動軸３に放射状に固定配置し、各錘支持シャフトの回転角度間隔を３０度にしたものである。
錘支持シャフト４−１〜４−１２は各々単数又は一対のシャフトから構成し、本例は単数にしてある。【００３７】また前記各錘支持シャフト４−１〜４−１２には、そのシャフト方向に移動自在にハズミ錘５−１、５−２を装着し、前記各ハズミ錘５−１、５−２には、その転動支持をするガイドロール式第一ガイド６−１と永久磁石式第二ガイド６−２を設ける。【００３８】前記ハズミ錘５−１、５−２の重心位置５Ｃは、前記ガイドロール式第一ガイド６−１と永久磁石式第二ガイド６−２を介してロールガイド式第一軌条７−１と永久磁石式第二軌条７−２により同一真円軌跡５ＣＴに沿って転動する。ロールガイド式第一軌条７−１と永久磁石式第二軌条７−２は、前記錘支持シャフトの転動面の両側方に平行に設けた竪型ガイド軌条である。【００３９】また前記各ハズミ錘５−１、５−２は、図６に示すように、その各重心５Ｃの全てが同一の真円軌跡５ＣＴの円周上に配置される。
このため錘支持シャフト４−１〜４−１２は、フライホイールＦＷと水平回転駆動軸２との間でフライホイールＦＷの半径線上に直線的に配置され、ハズミ錘５−１、５−２を、摺動自在に貫通装着しシャフトに沿って円滑に案内する。【００４０】前記ハズミ錘５−１、５−２の重心５Ｃの真円軌跡５ＣＴは、円心５００Ｃを前記回転駆動軸３の回転軸心３Ｃから水平に所定距離３Ｃ−５００Ｃ変位させた所謂偏心３Ｃ−５００Ｃさせた真円であり下降回転ゾーン５Ｄと上昇回転ゾーン５Ｕを有する．【００４１】前記ハズミ錘５−１、５−２を転動支持するガイドロール式第一ガイド６−１は、当該ハズミ錘５−１、５−２の先部から回転方向側に張り出したアーム１０−１の先端両側に設けてありロールガイド式第一軌条７−１により転がり接触して案内される。
同じく前記ハズミ錘５−１、５−２を転動支持する永久磁石式第二ガイド６−２は、当該ハズミ錘５−１、５−２の後部から反回転方向側に張り出したアーム１０−２の先端両側に設けてあり永久磁石式第二軌条７−２により転がり接触して案内される。【００４２】前記竪型ガイド軌条において、ガイドロール式第一ガイド６−１を案内するロールガイド式第一軌条７−１は、図３の（１）に示すように横断面形状がコ字状の湾曲ロングレール状にして、前記ハズミ錘の重心５Ｃが、少なくとも、前記真円軌跡５ＣＴの上昇回転ゾーン５Ｕの開始点５ＵＳから下降回転ゾーン５Ｄの開始点５ＤＳを経由し下降ゾーン５Ｄの前記回転駆動軸２の軸心２Ｃを通る水平線５ＤＨまでの間を回転する際の、前記ガイドロール式第一ガイド６−１のガイドロールの転動軌跡６−１Ｔに沿って左右一対が固定配置してある。【００４３】永久磁石式第二ガイド６−２の永久磁石Ｍ１を案内する永久磁石式第二軌条７−２は、図３の（１）に示すように横断面形状がコ字状の湾曲ロングレール７ａに所定間隔で永久磁石Ｍ２を複数配列する。湾曲ロングレール７ａは、前記ハズミ錘の重心５Ｃが、前記真円軌跡５ＣＴの下降回転ゾーン５Ｄの前記回転駆動軸２を通る水平線５ＤＨから終点５ＤＥ迄の間を回転する際の前記永久磁石式第二ガイド６−２の永久磁石Ｍ１の転動軌跡６−２Ｔ（図１）に沿って左右一対が平行して固定配置する。
永久磁石式第二ガイド６−２の永久磁石Ｍ１と久磁石式第二軌条７−２の永久磁石Ｍ２は対面側をＮ極にし、反対面側をＳ極にして反発関係にし、反発力により互いに接触せず且つ所定の間隔が保持できる磁力にしてある。
本例の前記一対のロールガイド式第一軌条７−１は、各ガイドロール式第一ガイド６−１に対して共有し、前記一対の永久磁石式第二軌条７−２は各ガイドロール式第一ガイド６−２に対して共有する。【００４４】  而して、前記永久磁石式第二ガイドと、それを案内する永久磁石式第二軌条は、前記ハズミ錘の重心位置が前記真円軌跡を維持する関係で且つハズミ錘の重心位置が前記真円軌跡の下降回転ゾーンの前記回転駆動軸を通る水平線から終点迄の間を回転する際の前記永久磁石式第二ガイドの永久磁石の転動軌跡に沿って配置するが、前例配置以外に、永久磁石式第二軌条を一本にし、前記永久磁石式第二ガイド７−２の永久磁石を永久磁石式第二軌条の外側と内側に沿って当該永久磁石式第二ガイドの永久磁石を挿通自在に対面配置し、永久磁石式第二ガイドの永久磁石の磁極と永久磁石式第二軌条の永久磁石とは磁極を反発関係で所定間隔を維持して対面配置してもよい。
また永久磁石式第二軌条を二本にし、前記永久磁石式第二ガイド７−２の永久磁石を二本の永久磁石式第二軌条間に沿って挿通自在に対面配置し、永久磁石式第二ガイドの永久磁石の磁極と永久磁石式第二軌条の永久磁石とは磁極を反発関係で所定間隔を維持して対面配置してもよい。
以上の構成により、水平回転駆動軸３が竪型水車１により回転駆動すると、錘支持シャフト４−１〜４−１２は回転方向ＣＤに回転し、ハズミ錘５−１はガイドロール式第一ガイド６−１を介してロールガイド式第一軌条７−１により、ハズミ錘５−２は永久磁石式第二ガイド６−２を介してロールガイド式第一軌条７−２により、各重心５Ｃが真円軌跡５ＣＴに沿って回転する。これでハズミ錘５−１、５−２は水平回転駆動軸３の軸心３Ｃに対してカム状に偏心回転して、真円軌跡５ＣＴの下降回転ゾーン５Ｄ及び上昇回転ゾーン５Ｕの全てで水平回転駆動軸３に回転モーメントを均一に付与して回転駆動力を効率よく増大させ発電効率を高めるのである。更に本例はフライホイールを同時に回転させてその遠心力により水平回転駆動軸３への回転モーメントを高めて更に発電効率を高めるのである。【００４５】図８には、実施例１に紹介の錘支持シャフト４−１とそのハズミ錘５−１、５−２の例の変形例を示す側面説明図である。
本例は錘支持シャフトを水平回転駆動軸３の直径線に平行に貫通装着した一対４−１−１，４−１−２にし，一方の錘支持シャフト４−１−１は，一端部をハズミ錘５−１−１に固定装着し、他端部をハズミ錘５−２−１に所定長さ摺動可能に貫通装着し、他方の錘支持シャフト４−１−２は，一端部をハズミ錘５−２−１に固定装着し、他端部をハズミ錘５−１−１２に所定長さ摺動可能に貫通装着して１回転中のシャフト伸縮を吸収可能にしてある。
図中ボルトＢ０１、Ｂ０２は、シャフトの伸縮吸収長さの調節具、或いは伸長停止位置決めをするストッパーである。【００４６】  以上の実施例１〜実施例３の構成により、本発明の偏心回転式発電装置は、前記ハズミ錘を転動支持するガイドロールと竪型ガイド軌条とをガイドロール式第一ガイドとロールガイド式第一軌条の組と、永久磁石式第二ガイドと永久磁石式第二軌条の組にすることにより、軌条に楕円弧状部の形成を皆無にして、ハズミ錘による水平回転駆動軸への回転モーメントをマイナスにすることなく常に一回転方向へのプラス軸力を維持して逆回転負荷とそれによる減速状態によるエネルギーロスを皆無にするとともに、前記ハズミ錘の回転慣性力による回転むらを僅少にして、ハズミ錘の円滑な連続カム回転状態を安定して得られるものである。【００４７】  即ち、ガイドロール式第一ガイドとロールガイド式第一軌条の組による作用効果は、前記ハズミ錘がその重心位置の真円軌跡で、上昇回転ゾーンの初期から下降回転ゾーンの開始点を経由し下降ゾーンの前記水平回転駆動軸３の軸心３Ｃを通る水平線までの間を回転する際に、ハズミ錘の遠心力をハズミ錘の前方にあるガイドロール式第一ガイドに作用させてハズミ錘を常に牽引作用して、ハズミ錘による回転駆動軸への回転モーメントをマイナスにすることなく常に一回転方向へのプラス軸力の付与を維持するのである。【００４８】  一方、永久磁石式第二ガイドと永久磁石式第二軌条の組による作用効果は、前記ハズミ錘がその重心位置の真円軌跡で、下降回転ゾーンの前記水平回転駆動軸を通る水平線から終点位置を過ぎても永久磁石式第二ガイドは下降回転を継続してハズミ錘に押上作用して上昇回転力を付与すると共に、点対称側にあるハズミ錘のガイドロール式第一ガイドが下降開始側に押上移動させて上昇牽引力を付与するため、図８に示す領域ＭＯにおいて点対称にあるハズミ錘がいずれも上昇過程にあっても、ガイドロール式第一ガイドは、下降移動終点に向かう途中であり、永久磁石式第二ガイドも下降移動開始を始めているため、回転駆動軸への回転モーメントをマイナスにすることなく常に一回転方向へのプラス軸力の付与を維持するのである。
【産業上の用可能性】
【００４９】  本発明の偏心回転式発電装置は、上述のように優れた作用効果を確実に得るものである。このため水力、風力、波力、その他の自然エネルギーあるいはこれ等から得た微電力等を用いて前記水平回転駆動軸を微力で一旦回転駆動すれば、エネルギーロスを少なくした効率の良い発電力を確実に確保することができる。そしてクリーンエネルギーとして、メンテナンスフリー発電を手軽に低コストで得る事を実現し、各種電力供給産業に広く普及工業界に広く活用される発電装置である。
【符号の説明】
【００５０】１：竪型水車（回転駆動装置）
２：電力発生装置
２Ｇ：減速機或いは増速機
３：水平回転駆動軸
３Ｃ：回転軸心
３Ｃ−５００Ｃ：偏心距離
４−１〜４−６：錘支持シャフト
４−１−１，４−１−２：錘支持シャフト
（４−１、４−３ａ、４−５ａ）：グループＧ１の錘支持シャフト
（４−２、４−４ａ、４−６ａ）：グループＧ２の錘支持シャフト
５−１、５−２：ハズミ錘
５−１−１、５−２−１  ハズミ錘
５Ｃ：重心位置
５ＣＴ：真円軌跡
５Ｄ：下降回転ゾーン
５Ｕ：上昇回転ゾーン
５ＵＳ：上昇回転ゾーン５Ｕの開始点
５ＤＳ：下降回転ゾーン５Ｄの開始点
５ＤＨ：水平線
５ＤＥ：下降回転ゾーン５Ｄの終点
６−１：ガイドロール式第一ガイド
６−２：永久磁石式第二ガイド
６−１Ｔ：ガイドロール式第一ガイド６−１のガイドロールの転動軌跡
６−２Ｔ：永久磁石式第二ガイド６−２の永久磁石の転動軌跡
７−１：ロールガイド式第一軌条
７−２：永久磁石式第二軌条
５００Ｃ：真円軌跡の円心
１０−１、１０−２：アーム
ＦＷ：フライホイール
Ｂ０１、Ｂ０２：シャフトの伸縮吸収長さの調節具、或いは伸長停止位置決めをするストッパー
Ｍ１：永久磁石式第二ガイドの永久磁石
Ｍ２：永久磁石式第二軌条の永久磁石
【図１】
2015117686.tif 000003
【図２】
2015117686.tif 000004
【図３】
2015117686.tif 000005
【図４】
2015117686.tif 000006
【図５】
2015117686.tif 000007
【図６】
2015117686.tif 000008
【図７】
2015117686.tif 000009
【図８】
2015117686.tif 000010
【図９】
2015117686.tif 000011
【手続補正書】
【提出日】平成26年10月5日(2014.10.5)
【手続補正１】
【補正対象書類名】特許請求の範囲
【補正対象項目名】全文
【補正方法】変更
【補正の内容】
【特許請求の範囲】
【請求項１】
自然エネルギーにより回転駆動する回転駆動装置（１）と電力発生装置（２）に連結した水平回転駆動軸（３）と、前記水平回転駆動軸（３）にその半径方向線とその延長線上に移動可能に装着し所定の回転角度間隔で配置した複数の錘支持シャフト（４−１〜４−６）、（４−１−１，４−１−２）、と、前記各錘支持シャフトに装着したハズミ錘（５−１、５−２）、（５−１−１、５−２−１）と、前記ハズミ錘の転動を支持するガイド機構と、前記錘支持シャフトの転動面の両側方に平行に設けられ前記ハズミ錘（５−１、５−２）、（５−１−１、５−２−１）の重心位置（５Ｃ）を前記ガイド機構を介して真円軌跡（５ＣＴ）で案内する竪型ガイド軌条とからなり、前記ハズミ錘の重心位置（５Ｃ）の真円軌跡（５ＣＴ）は、円心を前記回転駆動軸（３）の回転軸心から水平に反回転方向側に所定距離変位させた真円であり下降回転ゾーン（５Ｄ）と上昇回転ゾーン（５Ｕ）を有せしめた偏心回転式発電装置において、
前記ハズミ錘を転動支持するガイド機構は、前記ハズミ錘の先部から回転方向（ＣＴ）側にアーム（１０−１）で張り出し支持した第一ガイド（６−１）と、前記ハズミ錘の後部の反回転方向側にアーム（１０−２）で張り出し支持した第二ガイド（６−２）とからなり、
前記竪型ガイド軌条は、前記第一ガイド（６−１）を案内する第一軌条（７−１）と第二ガイド（６−２）を案内する第二軌条（７−２）に分割して設け、
前記第一ガイド（６−１）はガイドロール式にし、それを案内する第一軌条（７−１）はロールガイド式軌条にし、前記ハズミ錘の重心が、少なくても前記真円軌跡（５ＣＴ）の上昇回転ゾーン（５Ｕ）の開始点（５ＵＳ）から下降回転ゾーン（５Ｄ）の開始点（５Ｄ９Ｓ）を経由し下降ゾーン（５Ｄ）の前記回転駆動軸（３）の軸心（３Ｃ）を通る水平線までの間を回転する際の前記第一ガイド（６−１）のガイドロールの転動軌跡（６−１Ｔ）に沿って配置し、前記第二ガイド（７−２）は永久磁石式にし、それを案内する第二軌条（７−２）は永久磁石式にし、前記ハズミ錘が、少なくても前記真円軌跡（５ＣＴ）の下降回転ゾーン（５Ｄ）の前記回転駆動軸（３）を通る水平線から終点（５ＤＥ）迄の間を回転する際の前記第二ガイド（６−２）の永久磁石の転動軌跡（６−２Ｔ）に沿って配置し、第二ガイド（６−２）の永久磁石と第二軌条（７−２）の永久磁石とは互いの磁極を反発関係で所定間隔を維持して対面配置したことを特徴とする偏心回転式発電装置。
【手続補正２】
【補正対象書類名】明細書
【補正対象項目名】００１１
【補正方法】変更
【補正の内容】
【００１１】  しかしながら、この二件の発明はいずれの磁石リング軌条も楕円弧部を有するため、この楕円弧部では回転角度に対するウエイトの転動距離が大きく変動するため、ハズミ重錘の転動抵抗が一回転中に楕円弧部の個数分大きく変動し、円滑な発電回転が得難いものであった。
本発明は、前記の楕円弧部を皆無にして、且つ偏心回転シャフト機構で支持したハズミ重錘による回転区同軸への回転モーメントを常に一回転方向へのプラス軸力を維持してエネルギーロスを低減するとともに、回転慣性力による回転むらを僅少にして、ハズミ重錘の円滑な連続カム回転状態を安定して得られる新規な偏心回転式発電装置を提供するものである。
【手続補正３】
【補正対象書類名】明細書
【補正対象項目名】００１２
【補正方法】変更
【補正の内容】
【００１２】上記課題を満足させる本発明の基本的な技術構成は、実施例の図面に記載の符号を付して示すと次の（１）の通りである。
（１）、自然エネルギーにより回転駆動する回転駆動装置（１）と電力発生装置（２）に連結した水平回転駆動軸（３）と、前記水平回転駆動軸（３）にその半径方向線とその延長線上に移動可能に装着し所定の回転角度間隔で配置した複数の錘支持シャフト（４−１〜４−６）、（４−１−１，４−１−２）、と、前記各錘支持シャフトに装着したハズミ錘（５−１、５−２）、（５−１−１、５−２−１）と、前記ハズミ錘の転動を支持するガイド機構と、前記錘支持シャフトの転動面の両側方に平行に設けられ前記ハズミ錘（５−１、５−２）、（５−１−１、５−２−１）の重心位置（５Ｃ）を前記ガイド機構を介して真円軌跡（５ＣＴ）で案内する竪型ガイド軌条とからなり、前記ハズミ錘の重心位置（５Ｃ）の真円軌跡（５ＣＴ）は、円心を前記回転駆動軸（３）の回転軸心から水平に反回転方向側に所定距離変位させた真円であり下降回転ゾーン（５Ｄ）と上昇回転ゾーン（５Ｕ）を有せしめた偏心回転式発電装置において、
前記ハズミ錘を転動支持するガイド機構は、前記ハズミ錘の先部から回転方向（ＣＴ）側にアーム（１０−１）で張り出し支持した第一ガイド（６−１）と、前記ハズミ錘の後部の反回転方向側にアーム（１０−２）で張り出し支持した第二ガイド（６−２）とからなり、
前記竪型ガイド軌条は、前記第一ガイド（６−１）を案内する第一軌条（７−１）と第二ガイド（６−２）を案内する第二軌条（７−２）に分割して設け、
前記第一ガイド（６−１）はガイドロール式にし、それを案内する第一軌条（７−１）はロールガイド式軌条にし、前記ハズミ錘の重心が、少なくても前記真円軌跡（５ＣＴ）の上昇回転ゾーン（５Ｕ）の開始点（５ＵＳ）から下降回転ゾーン（５Ｄ）の開始点（５Ｄ９Ｓ）を経由し下降ゾーン（５Ｄ）の前記回転駆動軸（３）の軸心（３Ｃ）を通る水平線までの間を回転する際の前記第一ガイド（６−１）のガイドロールの転動軌跡（６−１Ｔ）に沿って配置し、前記第二ガイド（７−２）は永久磁石式にし、それを案内する第二軌条（７−２）は第二ガイド（７−２）の永久磁石と反発関係にした永久磁石式にし、前記ハズミ錘が、少なくても前記真円軌跡（５ＣＴ）の下降回転ゾーン（５Ｄ）の前記回転駆動軸（３）を通る水平線から終点（５ＤＥ）迄の間を回転する際の前記第二ガイド（６−２）の永久磁石の転動軌跡（６−２Ｔ）に沿って配置し、第二ガイド（６−２）の永久磁石と第二軌条（７−２）の永久磁石とは互いの磁極を反発関係で所定間隔を維持して対面配置したことを特徴とする偏心回転式発電装置。
【手続補正４】
【補正対象書類名】明細書
【補正対象項目名】００１３
【補正方法】変更
【補正の内容】
【００１３】  本発明の前記特徴とする前記構成の偏心回転式発電装置は、前記ハズミ錘を転動支持するガイドロールと竪型ガイド軌条は、前記ガイドロール式第一ガイドと前記ロールガイド式第一軌条の組と、前記永久磁石式第二ガイドと前記永久磁石式第二軌条の組にすることにより、いずれの軌条にも楕円弧状部の形成を皆無にして、ハズミ錘による回転駆動軸への回転モーメントをマイナスにすることなく常に一回転方向へのプラス軸力を維持してエネルギーロスを低減するとともに、前記ハズミ錘の回転慣性力による回転むらを僅少にして、ハズミ錘の円滑な連続カム回転状態を安定して得られるものである。
【手続補正５】
【補正対象書類名】明細書
【補正対象項目名】００４９
【補正方法】変更
【補正の内容】
【００４９】  本発明の偏心回転式発電装置は、上述のように優れた作用効果を確実に得るものである。このため水力、風力、波力、その他の自然エネルギーにより回転駆動する回転駆動装置により前記水平回転駆動軸を連続的に回転駆動すれば、その間、エネルギーロスを少なくした効率の良い発電力を確実に確保することができる。そしてクリーンエネルギーとして、メンテナンスフリー発電を手軽に低コストで得る事を実現し、各種電力供給産業に広く普及工業界に広く活用される発電装置である。